(57)【要約】【課題】浴槽への高濃度酸素供給装置を給湯器本体に内蔵し、構成の簡素化と省スペース化を図ることを目的とする。【解決手段】ポンプ１８により浴槽２１の湯が循環する追い焚き循環回路２０を有する給湯機の前記追焚き循環回路２０に、酸素富化装置２６からの高濃度の酸素を混入させ、浴槽２１に取り付けられている追焚きアダプタ２２より噴出させる構成とすることで安価に取りつけでき、かつ追い焚き時、注湯時に関わらず、酸素冨化装置からの高酸素濃度の安定した気泡を楽しむことができる。【選択図】図１
2006064271.tif 000002
【特許請求の範囲】
【請求項１】
給水および浴槽水を温水に加熱する熱交換部と、給水回路に設けられ給水温度を検知する給水水温検知部と、給水流量を検知する流量検知部と、給湯回路に設けられ温水温度を検知する給湯水温検知部と、給湯流量を制御する給湯水量制御部と、浴槽水循環回路の風呂ポンプ上流もしくは下流に注湯する注湯弁部と、前記給湯弁部の下流に注湯水量を検知する流量検知部と、給湯水および浴槽水の流れを検知する水流検知部と、風呂ポンプにより浴槽の湯が循環する追い焚き循環回路と、前記浴槽に設けた追い焚きアダプタと、高濃度の酸素を供給する酸素富化装置と、前記酸素富化装置からの高濃度の酸素を追い焚き循環回路、もしくは追い焚きアダプタに直接混入させる混入手段とを備え、高濃度の酸素を前記追い焚きアダプタより噴出させる構成とした酸素富化給湯装置。
【請求項２】
酸素富化装置作動中、風呂ポンプにより浴槽水を循環させ、その水流と共に高濃度の酸素を追い焚きアダプタから噴出させる構成とした請求項１に記載の酸素富化給湯装置。
【請求項３】
酸素富化装置作動中、注湯弁を動作させることにより、その水流と共に高濃度の酸素を追い焚きアダプタから噴出させる構成とした、請求項１に記載の酸素富化給湯装置。
【請求項４】
酸素冨化装置作動中、風呂側の要求動作に応じて、風呂ポンプにより浴槽水の循環と、注湯弁を動作させることにより追い焚き回路への注湯を切り替えながら、その水流と共に高濃度の酸素を追い焚きアダプタから噴出させる構成とした請求項１に記載の酸素富化給湯装置。
【請求項５】
注湯弁を動作させることにより追い焚き回路への注湯を行なう際、注湯流量検知部により検知された流量が一定量以下の場合に、風呂ポンプを作動させながら酸素冨化装置を作動させる制御手段を備えた請求項１記載の酸素富化給湯装置。
【発明の詳細な説明】
【技術分野】
【０００１】
本発明は、追焚き循環回路を有する給湯器の追焚き配管を利用して、浴槽内の浴水中に酸素を供給する機能を有する給湯装置に関するものである。
【背景技術】
【０００２】
従来、この種の酸素供給装置は、ジェットバス等の浴槽水を循環させる管路に気体を供給する供給部を設け、この供給部に酸素富化空気を供給するための酸素富化装置を設けたものである（例えば、特許文献１参照）。
【０００３】
図４は、前記特許文献１に記載された従来の浴槽内への酸素供給装置を示すものである。図４において、１は浴槽、２は管路、３は供給部、４は吸入口、５は吐出口、７は酸素富化装置、８はポンプである。
【特許文献１】特開平４−２３４７号公報
【発明の開示】
【発明が解決しようとする課題】
【０００４】
しかしながら、前記従来の構成では、ジェット配管の管路の途中に酸素供給部を設け、この供給部に酸素富化空気を供給するものであるため、酸素を浴槽に供給するためには、ジェットバスのシステムを有することが必要であり、簡単に家庭に設置できるものではなかった。また、ジェットバスの流量が大きいため、電気代や騒音等の関連で長時間使用することが難しく、十分な酸素を供給することもできないという課題を有していた。
【０００５】
本発明は、前記従来の課題を解決するもので、殆どの家庭で設置している、ポンプにより浴槽の湯が循環する追い焚き循環回路を有する給湯機の前記追焚き循環回路に、酸素富化装置からの高濃度の酸素を混入させ、浴槽に取り付けられている追焚きアダプタより噴出させる構成とすることで安価に取りつけでき、また注湯動作中にも酸素供給ができ、長時間の酸素供給も可能な装置を提供することを目的とする。
【課題を解決するための手段】
【０００６】
前記従来の課題を解決するために本発明は、給水および浴槽水を温水に加熱する熱交換部と、給水回路に設けられ給水温度を検知する給水水温検知部と、給水流量を検知する流量検知部と、給湯回路に設けられ温水温度を検知する給湯水温検知部と、給湯流量を制御する給湯水量制御部と、浴槽水循環回路の風呂ポンプ上流もしくは下流に注湯する注湯弁部と、前記給湯弁部の下流に注湯水量を検知する流量検知部と、給湯水および浴槽水の流れを検知する水流検知部と、風呂ポンプにより浴槽の湯が循環する追い焚き循環回路と、前記浴槽に設けた追い焚きアダプタと、高濃度の酸素を供給する酸素富化装置と、前記酸素富化装置からの高濃度の酸素を追い焚き循環回路、もしくは追い焚きアダプタに直接混入させる混入手段とを備え、高濃度の酸素を前記追い焚きアダプタより噴出させる構成としたものである。
【０００７】
これによって、混入手段によって酸素富化装置からの高濃度の酸素は追焚き配管の中の湯または水に混入され、この酸素が混入された湯または水が浴槽に取り付けた追焚きアダプタから噴出するときに、高濃度の酸素が気泡となって浴槽水の中を通過し、その後浴室内に充満するようになる。この結果、入浴中の人が高濃度の酸素を吸いながら湯につかることで、温浴効果を促進したり、居眠りを防止したりできる。また、浴槽水の中に酸素が溶け込むことにより雑菌の発生を押さえ、ぬめりや臭いを減少させる効果も期待できる。そして、この構成であれば、給湯機のケーシングの中に納まるので余分なスペースも不要であると共に、安価に作成ができるため、一般の家庭への設置も可能である。
【発明の効果】
【０００８】
前記従来の課題を解決するために、本発明の酸素富化給湯装置は、ポンプにより浴槽の湯が循環する追い焚き循環回路と、前記浴槽に設けた追い焚きアダプタと、高濃度の酸素を供給する酸素富化装置と、前記酸素富化装置からの高濃度の酸素を追い焚き循環回路に混入させる混入手段とを有し、前記追い焚き循環回路に混入させた高濃度の酸素を前記追い焚きアダプタより噴出させる構成としたものである．これによって、常に使用する追焚き装置に酸素富化装置他を追加するだけで、より高濃度の酸素を簡単に得ることができるようになる。
【発明を実施するための最良の形態】
【０００９】
第１の発明は、給水および浴槽水を温水に加熱する熱交換部と、給水回路に設けられ給水温度を検知する給水水温検知部と、給水流量を検知する流量検知部と、給湯回路に設けられ温水温度を検知する給湯水温検知部と、給湯流量を制御する給湯水量制御部と、浴槽水循環回路の風呂ポンプ上流もしくは下流に注湯する注湯弁部と、前記給湯弁部の下流に注湯水量を検知する流量検知部と、給湯水および浴槽水の流れを検知する水流検知部と、風呂ポンプにより浴槽の湯が循環する追い焚き循環回路と、前記浴槽に設けた追い焚きアダプタと、高濃度の酸素を供給する酸素富化装置と、前記酸素富化装置からの高濃度の酸素を追い焚き循環回路、もしくは追い焚きアダプタに直接混入させる混入手段とを備え、高濃度の酸素を前記追い焚きアダプタより噴出させる構成としたものである。
【００１０】
この構成により、混入手段によって酸素富化装置からの高濃度の酸素は追焚き配管の中の湯または水に混入され、この酸素が混入された湯または水が浴槽に取りつけた追焚きアダプタから噴出するときに、高濃度の酸素が気泡となって浴槽水の中を通過し、その後浴室内に充満するようになる。この結果、入浴中の人が高濃度の酸素を吸いながら湯につかることで、温浴効果を促進したり、居眠りを防止したりできる。また、浴槽水の中に酸素が溶け込むことにより雑菌の発生を押さえ、ぬめりや臭いを減少させる効果も期待できる。そして、この構成であれば、給湯機のケーシングの中に納まるので余分なスペースも不要であると共に、安価に作成ができるため、一般の家庭への設置も可能である。
【００１１】
第２の発明は、酸素富化装置作動中、風呂ポンプにより浴槽水を循環させ、その水流と共に高濃度の酸素を追い焚きアダプタから噴出させる構成としたもので、循環水に乗せることにより、より酸素気泡を自然な形で浴槽水へ供給できる。
【００１２】
第３の発明は、酸素冨化装置動作中に、注湯弁を動作させ追い焚き回路への注湯、注水を行ない、その水流に乗せることにより、より酸素気泡を自然な形で浴槽水へ供給できる。
【００１３】
第４の発明は、酸素冨化装置動作中に、浴槽へのお湯はりや追い焚き等の動作要求があった場合、もしくは、浴槽へのお湯はりや追い焚き等の動作中に酸素冨化装置動作要求があった場合に、風呂ポンプ循環動作と注湯弁の動作を切り替えることにより、風呂動作に連動させ充分な酸素気泡をユーザーが楽しむことが出来る。
【００１４】
第５の発明は、注湯弁を動作させることにより追い焚き回路への注湯を行なう際、注湯流量検知部により検知された流量が一定量以下の場合に、風呂ポンプを作動させながら酸素冨化装置を作動させる制御手段を備えたもので、酸素冨化装置動作中に、注湯弁の動作があった際、注湯流量が少ない場合は、充分な量の酸素気泡が得られない。そのため、注湯流量が少ない場合は、注湯中に風呂ポンプを駆動させ、充分な量の水流に乗せて酸素気泡を噴出することができる。
【００１５】
以下、本発明の実施の形態について、図面を参照しながら説明する。なお、本実施の形態によって、本発明が限定されるものではない。
【００１６】
（実施の形態１）
図１は、本発明の第１の実施例における酸素富化給湯装置の全体構成図である。
【００１７】
９は給湯装置本体で、１０は熱交換器１２を加熱するバーナ、１１はバーナ１２に燃焼空気を送るバーナファン、１３は燃焼空気の排気口、１４は給湯回路で、給湯入口１５から入った水が熱交換器１２で加熱されて給湯出口１６から出、カラン１７等から吐出される。１８は、追焚き循環回路２０に設けられた風呂ポンプで、２９は追い焚き回路に温水もしくは冷水を供給する注湯弁である。２１は浴槽で２２は追焚きアダプタである。２３は酸素富化膜、２４は空気を減圧して酸素富化膜の間に空気を通し、高酸素濃度の空気を得るための真空ポンプ、２５は酸素富化膜に新鮮空気を送るための送風ファンであり、この２３、２４、２５の３つで酸素富化装置２６を構成している。この真空ポンプ２４は酸素富化膜の下流側に配置されているので、酸素富化装置の薄い膜がフィルターの役目をし、真空ポンプにごみが詰まる恐れが無く真空ポンプ用のフィルターは不要である。
【００１８】
以上のように構成された酸素富化給湯装置について、以下その動作・作用を説明する。
【００１９】
混入手段２７によって酸素富化装置２６からの高濃度の酸素は追焚き回路２０の中の湯または水に混入され、この酸素が混入された湯または水が浴槽２１に取りつけた追焚きアダプタ２２から噴出するときに、高濃度の酸素が気泡２８となって浴槽水の中を通過し、その後浴室内に充満するようになる。この結果、入浴中の人が高濃度の酸素を吸いながら湯につかることで、温浴効果を促進したり、居眠りを防止したりできる。また、浴槽水の中に酸素が溶け込むことにより雑菌の発生を押さえ、ぬめりや臭いを減少させる効果も期待できる。そして、この構成であれば、給湯機のケーシング９の中に納まるので余分なスペースも不用であると共に、安価に作成も可能であるため、一般の家庭への設置も可能である。
【００２０】
また、酸素冨化装置の作動の際に、風呂ポンプを作動させる、または、注湯弁を動作させることにより、酸素気泡をより自然な形で浴槽内に供給することが出来る。
【００２１】
また、図２に示すように、酸素冨化装置の作動の際に、風呂側の動作（注湯、追い焚き等）に応じて風呂ポンプと注湯弁の動作を切り替えることにより、あらゆる風呂動作に酸素気泡を自然な形で噴出させることができる。
【００２２】
さらに、図３に示すように、酸素冨化装置の作動の際に、注湯弁を動作させ、注湯流量が少ない場合は、気泡の出方が非常に弱くなってしまうが、風呂ポンプの動作を連動させることにより、水圧が低かったり何らかの制御上の理由で注湯流量を絞らなければいけない場合においても、安定した酸素気泡の供給が可能となる。
【産業上の利用可能性】
【００２３】
以上のように本発明によれば、入浴中の人が高濃度の酸素を吸いながら湯につかることで、温浴効果を促進したり、居眠りを防止したりでき、また、浴槽水の中に酸素が溶け込むことにより雑菌の発生を押さえ、ぬめりや臭いを減少させる効果も期待でき、さらに、機器本体のケーシングの中に納まるので余分なスペースも不用であると共に、安価に作成も可能であるため、ガスや石油を熱源とする瞬間式給湯機や深夜電力を利用した貯湯式温水器等、風呂機能を有する機器全般に適用することができる。
【図面の簡単な説明】
【００２４】
【図１】本発明の実施の形態における酸素富化給湯装置の全体構成図
【図２】同酸素富化給湯装置作動時の風呂流量と酸素気泡流量到達距離を示す図
【図３】同酸素富化給湯装置作動時の風呂流量と酸素気泡流量到達距離を示す図
【図４】従来の給湯装置の全体構成図
【符号の説明】
【００２５】
１８  風呂ポンプ
２０  追焚き循環回路
２１  浴槽
２２  追焚きアダプタ
２６  酸素富化装置
２７  混入手段
２９  注湯弁
【図１】
2006064271.tif 000003
【図２】
2006064271.tif 000004
【図３】
2006064271.tif 000005
【図４】
2006064271.tif 000006